(57)【要約】【課題】  複雑な機構を設けることなく、送信側と受信側との双方において、通信が確保され、データ転送している間は、音（メロディ）または光等によって、通信状態を容易に確認することができる無線ＬＡＮデータ転送システムを提供することを目的とする。【解決手段】  無線通信手段と変調信号再生手段と変調信号データを格納するメモリ手段を具備する送信装置と、無線通信手段と変調信号再生手段と変調信号データを一時的に格納するメモリ手段とを具備する受信装置とを有する無線ＬＡＮデータ転送システムであって、上記無線通信手段を用いて、データ転送を行う間に、上記変調信号データを格納するメモリ手段から読み出した変調信号を、上記送信装置の上記変調信号再生手段が再生し、また、上記受信装置の上記変調信号再生手段が再生することを特徴とする無線ＬＡＮデータ転送システムである。【選択図】  図１
2005136899.tif 000002
【特許請求の範囲】
【請求項１】
送信装置と、受信装置とを有するデータ転送システムであって、
上記送信装置から受信装置に再生用データを送信し、上記送信装置から受信装置に所望のデータを転送している最中に、上記送信装置および受信装置で上記再生用データを再生することを特徴とするデータ転送システム。
【請求項２】
所望のデータを送信する送信手段と；
再生用データを再生する再生手段と；
再生用データの再生を通信相手に要求する要求手段と；
上記送信手段により上記所望のデータを送信する際に、上記要求手段により再生用データの再生の要求を行うと共に、上記再生手段により再生用データを再生することにより、上記所望のデータを送信する最中に、上記通信相手と共に、再生用データが再生されるよう制御する制御手段と；
を有することを特徴とする情報処理装置。
【請求項３】
請求項２において、
上記要求手段は、上記通信相手に再生用データを送信し、該再生用データの再生を要求することを特徴とする情報処理装置。
【請求項４】
請求項３において、
上記要求手段は、ユーザにより選択された再生用データを送信することを特徴とする情報処理装置。
【請求項５】
上記再生手段は、上記通信相手と同期して上記再生用データを再生することを特徴とする情報処理装置。
【請求項６】
請求項２において、
上記再生手段は、音もしくは光を再生することを特徴とする情報処理装置。
【請求項７】
請求項２において、
上記情報処理手段は、撮像機能を有し、上記所望のデータは、撮像画像であることを特徴とする情報処理装置。
【請求項８】
データを受信する受信手段と；
通信相手からの再生用データの再生要求に従って、再生用データを再生する再生手段と；
を有し、
上記受信手段により上記データを受信する際に、通信相手からの上記再生要求に従って上記再生手段により再生用データを再生することにより、上記受信手段によるデータ受信の最中に、再生用データを再生することを特徴とする情報処理装置。
【請求項９】
情報処理装置の制御方法において、
所望のデータを送信する際に、再生用データの再生を通信相手に要求すると共に、上記情報処理装置においても再生用データを再生することにより、上記所望のデータを送信する最中に、上記通信相手と共に、再生用データが再生されるよう制御することを特徴とする情報処理装置の制御方法。
【請求項１０】
情報処理装置の制御方法において、
通信相手からデータを受信する際に、通信相手からの要求に従って再生用データを再生することにより、上記通信相手からのデータ受信の最中に、再生用データを再生することを特徴とする情報処理装置の制御方法。
【発明の詳細な説明】
【技術分野】
【０００１】
本発明は、データ転送を行うシステムおよびそこで用いられる情報処理装置、制御方法に関するものである。
【背景技術】
【０００２】
無線通信装置において、送信側と受信側との間で通信確立し、データを送受する方法が知られている（たとえば特許文献１、特許文献２参照）。
【特許文献１】特開２０００−１９６５９７号公報
【特許文献２】特開２００１−１４４７６７号公報
【発明の開示】
【発明が解決しようとする課題】
【０００３】
しかし、上記特許文献１に記載されている従来例では、送信側と受信側との通信確立と、データ送受とに関する方法が記載されているが、通信確立時に、その確立状態をユーザへ告知する方法については記載されていないので、どの装置間で通信が確立しているかを、物理的に把握することが困難であるという問題がある。
【０００４】
また、上記特許文献２に記載されている従来例では、送信側でブザー音を鳴らしながら接続を確立する方法が記載されているが、接続確立対象の装置間と、接続確立期間中に接続状態を確認する方法が、記載されていないので、受信側の対象装置を物理的に把握することが困難であるという問題がある。
【０００５】
本発明は、次の事項を目的とする。
（１）複雑な機構を設けることなく、送信側と受信側との双方において、通信が確保され、データ転送している間は、音（メロディ）または光等によって、通信状態を容易に確認することができること。
（２）通信状態の確認は、送信側から受信側を制御するために、送信側と受信側との双方で、同一の同期が取れた音（メロディ）または光の点滅等を行うことができ、通信状態を容易に確認することができること。
（３）通信状態の確認は、通信確立から通信終了時まで行うので、通信の開始と終了との確認を容易に行うことができること。
（４）通信状態を確認する音または光の再生信号を、ユーザが送信側から任意に決めることができること。
【課題を解決するための手段】
【０００６】
本発明は、送信装置と、受信装置とを有するデータ転送システムであって、上記送信装置から受信装置に再生用データを送信し、上記送信装置から受信装置に所望のデータを転送している最中に、上記送信装置および受信装置で上記再生用データを再生することを特徴とするデータ転送システムである。
【０００７】
また、所望のデータを送信する送信手段と、再生用データを再生する再生手段と、再生用データの再生を通信相手に要求する要求手段と、上記送信手段により上記所望のデータを送信する際に、上記要求手段により再生用データの再生の要求を行うと共に、上記再生手段により再生用データを再生することにより、上記所望のデータを送信する最中に、上記通信相手と共に、再生用データが再生されるよう制御する制御手段とを有することを特徴とする情報処理装置である。
【０００８】
また、データを受信する受信手段と、通信相手からの再生用データの再生要求に従って、再生用データを再生する再生手段とを有し、上記受信手段により上記データを受信する際に、通信相手からの上記再生要求に従って上記再生手段により再生用データを再生することにより、上記受信手段によるデータ受信の最中に、再生用データを再生することを特徴とする情報処理装置である。
【０００９】
また、情報処理装置の制御方法において、所望のデータを送信する際に、再生用データの再生を通信相手に要求すると共に、上記情報処理装置においても再生用データを再生することにより、上記所望のデータを送信する最中に、上記通信相手と共に、再生用データが再生されるよう制御することを特徴とする情報処理装置の制御方法である。
【００１０】
また、情報処理装置の制御方法において、通信相手からデータを受信する際に、通信相手からの要求に従って再生用データを再生することにより、上記通信相手からのデータ受信の最中に、再生用データを再生することを特徴とする情報処理装置の制御方法である。
【発明の効果】
【００１１】
本発明によれば、
（１）送信側と受信側との双方において、通信が確保され、データを転送している間は、音または光等によって、通信状態を容易に確認することができる。
（２）送信側から受信側を制御できるので、送信側と受信側との双方で、同期が取れた音または光の点滅を行うことによって、通信状態を確認でき、通信状態を、さらに容易に確認することができる。
（３）通信状態の確認は、通信確立から通信終了時まで行うので、通信の開始と終了とを容易に確認することができる。
（４）通信状態の確認は、ユーザが送信側から任意に行うことができ、周囲の状況によって、他の通信状態の確認手段と異なるものに設定することができる。
【発明を実施するための最良の形態】
【００１２】
発明を実施するための最良の形態は、次の実施例である。
【実施例１】
【００１３】
図１は、本発明の実施例１である撮像装置１００を示すブロック図である。
【００１４】
撮像装置１００において、光電変換素子（ここではＣＣＤを例に取る）１は、光を電気信号に変換する。相関二重サンプリング回路（以下、「ＣＤＳ」という）２は、ＣＣＤ１の出力信号を映像信号に変換するための回路。アナログデジタル変換回路（以下、「ＡＤ」という）３は、ＣＤＳ出力のアナログ信号をデジタル信号に変換する回路である。デジタル信号処理回路（以下、「ＤＳＰ」という）４は、色信号処理、輝度信号処理等各種信号処理を行う。ＣＣＤ水平転送駆動回路（以下、「ＨＤｒ」という）５は、ＣＣＤ１の水平転送部を駆動する回路である。
【００１５】
ＣＣＤ垂直転送駆動回路（以下、「ＶＤｒ」という）６は、ＣＣＤ１の垂直転送部を駆動する回路である。タイミングジェネレータ（以下、「ＴＧ」という）７は、基準同期信号を入力し、この基準信号によってＣＣＤ１の駆動および信号処理に必要な各種パルスを生成する回路である。ＣＰＵ８は、システム全体を制御する。レンズ駆動回路９は、フォーカス用レンズ１０を駆動するための回路である。
【００１６】
絞り駆動回路１１は、絞りとシャッターを駆動する回路である。絞り兼シャッター１２は、ＣＣＤ１への入射光量を制御するとともに露光時間を制御する。レリーズスイッチ１３は、２段階ストロークで構成されている。操作部材１４は、各種スイッチで構成されている。基準信号発生回路１５は、水晶発振回路を有し、メインクロックおよび水平同期信号（以下、「ＨＤ」という）と垂直同期信号（以下、「ＶＤ」という）とを発生し、ＣＰＵ８およびＴＧ７を動作させる回路である。
【００１７】
ＬＣＤドライバ回路（以下、「ＬＣＤＤｒ」という）１６は、表示装置を駆動する回路である。表示装置（ここでは液晶表示装置とし、以下、「ＬＣＤ」という）１７は、被写体像をモニタする装置である。メモリ回路１８は、データを一時的に記憶する回路である。外部インタフェース１９は、外部メモリとデータ送受する回路である。着脱式メモリ２０は、画像データを保存するメモリである。
【００１８】
アンテナ回路２１は、無線通信のための回路である。ＲＦ送受信回路２２は、無線信号を送受信する回路である。ＲＦ／ＩＦ変換回路２３は、無線周波数から中間周波数へ変換し、また、中間周波数から無線周波数へ変換する回路である。ベースバンド処理回路２４は、基本周波数での信号処理を行う回路である。ＭＡＣ（ＭｅｄｉａＡｃｃｅｓｓＣｏｎｔｒｏｌ）制御部２５は、ＪＰＥＧ等の画像データをパケット形式データへ変換し、またはパケット形式データから画像データへ変換する回路である。
【００１９】
インタフェース回路２６は、ＭＡＣ制御部との間でデータ送受するための回路である。データバスライン２７は、データの受け渡しを行う。オーディオアンプ回路２８は、音声信号処理を行う。スピーカ２９は、電気信号を音声信号へ変換する。ＬＥＤ３０は、表示装置の一例である。
【００２０】
次に、本実施例１の動作について説明する。
【００２１】
被写体像は、撮影レンズ１０を通し、絞り１２によって光量が調節され、ＣＣＤ１に結像する。ＣＣＤ１は、光電変換によって、被写体像を電気信号へ変換し、ＣＣＤ信号としてＣＤＳ２へ出力する。基準信号発生回路１５が生成したメインクロック、ＨＤ、ＶＤは、ＴＧ７へ出力され、これらの信号を基準に、ＴＧ７が、ＣＣＤ水平転送パルス、ＣＣＤ垂直転送パルス、ＣＣＤフィールドシフトパルス、電子シャッターパルス、ＯＢクランプパルスを生成する。
【００２２】
そして、ＣＣＤ水平転送パルスは、ＨＤｒ５へ出力され、ＣＣＤ垂直転送パルス、ＣＣＤフィールドシフトパルスおよび電子シャッターパルスは、ＶＤｒ６へ出力され、ＯＢクランプパルスは、ＣＤＳ２へ出力される。ＶＤｒ６は、ＴＧ７から出力されるＣＣＤ垂直転送用パルスおよびＣＣＤフィールドシフトパルスを入力し、これらを組み合わせ、ＣＣＤ１の垂直転送部を十分に駆動できる信号振幅と周波数特性とを保持した３値（Ｈ（高電位）、Ｍ（中電位）、Ｌ（低電位）レベル）の信号に変換し、ＣＣＤ１の垂直転送駆動部へ出力する。
【００２３】
ＣＣＤ１は、これらの信号を受け、フィールドシフトパルスに相当する“Ｈ”レベルの信号を入力したときに、ＣＣＤ１のフォトダイオードに蓄積されている電荷を、垂直転送部へ出力する。垂直転送部へ出力された電荷は、ＣＣＤ垂直転送パルスの４相２値（Ｍ、Ｌレベル）駆動によって、垂直転送路上を、順序正しく水平転送路へ転送される。また、電子シャッターパルスは、ＶＤｒ６でＣＣＤ１を十分に駆動できる信号振幅に変換された後に、ＣＣＤ１へ出力され、ＣＣＤ１での電荷蓄積時間（露光量）を制御する。
【００２４】
ＣＣＤ１は、電子シャッターパルスを入力している期間は、フォトダイオードの電荷をクリアーし続け、電子シャッターパルスが停止した直後から、露光状態になる。絞り兼シャッター１２の閉動作によって、外光を遮断し、これによって露光終了が行われる。
【００２５】
ＨＤｒ５は、ＴＧ７が出力したＣＣＤ水平転送パルスを入力し、ＣＣＤ１の水平転送部を十分に駆動できる信号振幅と周波数特性とを保持した信号に変換し、ＣＣＤ１の水平転送部へ出力する。リセットゲートパルスは、ＴＧ７から直接ＣＣＤ１へ出力され、ＣＣＤ１の出力ゲート部を一定電位に固定し、電荷電位変換を行う。ＣＣＤ１では、これら水平転送パルス信号とリセットゲートパルス信号とを入力することによって、電荷を水平転送部から、出力アンプを介して、被写体像をＣＣＤ信号としてＣＤＳ２へ出力する。
【００２６】
ＣＤＳ２は、ＣＣＤ信号を入力し、ＣＣＤ出力信号のフィードスルー部とデータ部とのレベル差から、映像信号を生成する。この過程で、ＣＣＤ信号に含まれている低周波雑音を除去することができる。
【００２７】
そして、この信号の基準部（ＣＣＤ１内の遮光されたフォトダイオード部分（以下ＯＢ部と呼ぶ）、フォトダイオードが形成されず、ダミー信号部分を基準部とみなす場合もある）を、新たな直流バイアスに設定し直し（直流再生、以後クランプと呼ぶ）、可変利得増幅機能によって、所望の感度が得られるように映像信号を増幅し、ＡＤ３へ出力する。
【００２８】
ＡＤ３は、ＣＤＳ出力の映像信号を入力し、この入力した映像信号をアナログ信号からデジタル信号（たとえば１０ビット信号）へ変換し、ＤＳＰ４へ出力する。ＡＤ３の出力信号は、上記ＯＢ部が、常に一定の値（たとえばフルレンジ１０２４ＬＳＢ中の３２ＬＳＢ）に固定するように設定する。したがって、映像信号は、３２から１０２３ＬＳＢのなかで表現される。
【００２９】
ＤＳＰ４は、デジタルに変換された映像信号を入力し、信号処理によって輝度信号と色信号とを再生する。また、ＤＳＰ４は、映像信号を利用し、露出制御を行うための基準信号、ホワイトバランス制御を行うための基準信号、フォーカス制御を行うための基準信号を生成する。
【００３０】
ＤＳＰ４で処理された画像データは、データバスライン２７を介して、メモリ１８に一時的に蓄積する。ＤＳＰ４によって、この画像データは、表示装置（ＬＣＤ）ヘ表示するためのデータへ変換（一般的にＲ、Ｇ、ＢまたはＹ、ＲＹ、ＢＹ等の形式）され、ＬＣＤＤｒ１６へ出力される。ＬＣＤＤｒ１６は、接続されている表示装置（ＬＣＤ）１７に合致したデータへ変換（一般的にＲ、Ｇ、Ｂ）するとともに、ＬＣＤを最適に駆動できる信号振幅に変換し、表示装置（ＬＣＤ）１７へ、この信号を出力する。
【００３１】
そして、レリーズスイッチ１３を１段階押下することによって、フォーカス制御と露出制御とを行い、ＬＣＤファインダーにおいて、ピントと露出とが適正にあった被写体像をモニタし、構図を決める。レリーズスイッチ１３を、さらに１段階押下し、その時の静止画像を取得する。
【００３２】
静止画像記録時には、デジタルに変換された映像信号から、ＤＳＰ４が信号処理し、輝度信号と色信号とを再生し、この再生されたデータを、メモリ１８に一時的に蓄積する。そして、ＤＳＰ４が、メモリから取り込んだ画像データを、可逆的または非可逆的な画像符号化データ（ここでは一般的なＪＰＥＧファイル形式、以下、「ＪＰＥＧデータ」という）に変換し、外部インタフェース１９を介して、着脱式のメモリ２０（一般的にＣＦカードやＳＤカード）に、ＪＰＥＧファイルとして画像ファイルを蓄積する。
【００３３】
無線ＬＡＮを使用し、画像ファイルを他の通信装置へ送信する場合、メモリ２０へ蓄積されたＪＰＥＧ画像を、外部インタフェース１９、データバスライン２７、外部インタフェース２６を介して、ＭＡＣ制御部２５へ送り、ＩＥＥＥｓｔｄ８０２．１１に従って、符号化されたＪＰＥＧデータ等を、パケット形式データへ変換し、無線で送信するフレームの組み立て、分解や制御フレームの生成、無線通信チャネルの獲得制御、通信速度の制御等、送信信号処理を行う。
【００３４】
そして、フレーム化されたデータは、ベースバンド処理回路２４に送られ、変調され、ＲＦ／ＩＦ変換回路２３へ送られる。ここでは、送信用中間周波数（ＩｎｔｅｒｍｅｄｉａｔｅＦｒｅｑｕｅｎｃｙ  以下、「ＩＦ」という）信号のフィルタリングと位相変調とを行い、信号は、ＲＦ送受信回路２２へ送られる。ここで、ＩＦ信号は、無線周波数（ＲａｄｉｏＦｒｅｑｕｅｎｃｙ  以下、「ＲＦ」という）信号に変換され、規定の増幅率に増幅され、アンテナ回路２１から無線信号を送信する。
【００３５】
逆に、無線ＬＡＮを使用し、画像ファイルを他の通信装置から受信する場合、アンテナ回路２１を介して、ＲＦ送受信回路２２から無線信号を受信する。そして、ＲＦ／ＩＦ変換回路２３が、ＲＦ信号をＩＦ信号に変換し、受信用ＩＦ信号のフィルタリングと位相復調とを行う。
【００３６】
信号は、ベースバンド処理回路２４へ送られ、復号化によって、パケット形式データを取り出し、ＭＡＣ制御部２５へデータが送られる。ここで、ＩＥＥＥｓｔｄ８０２．１１に従って、パケット形式データからＪＰＥＧデータ等、最終的なファイル形式へ変換する。受信されたＪＰＥＧ画像データは、ＭＡＣ制御部２５から、インタフェース回路２６、データバスライン２７、外部インタフェース１９を介して、メモリ２０へ蓄積される。
【００３７】
次に、本実施例１において、無線通信対象装置との間で、データを送受する動作について説明する。
【００３８】
図２、図３は、本実施例１において、無線通信対象装置との間で、データを送受する動作を示すフローチャートである。
【００３９】
無線通信対象装置（ここでは、プリンタを例に取るが、通信手段を備えた装置であれば、コンピュータであっても、ハードディスク等の記憶装置であってもよい）とのデータ送受手順を説明する。
【００４０】
無線通信の送信側と受信側との装置が、お互いに通信圏内に入り、お互いの機器を認識できるものとする。
【００４１】
まず、図１に示す操作部材（電源スイッチ）１４によって、デジタルカメラの電源を投入する（１−１）。次に、操作部材（モード選択ダイアル）１４によって、カメラのモードが選択され（１−２）、これによって、カメラ（記録）モード（１−３）、再生モード（１−４）、データ転送モード（１−５）のいずれかの処理へ移行する。
【００４２】
ここでは、カメラモードと再生モードとに関する説明を省略し、データ転送モードが選択された場合について説明する。
【００４３】
（１−６）では、操作部材（接続確認選択スイッチ）１４によって、接続確認モードが選択された場合、認識フラグ（ｆｌａｇ）が１に設定され、（１−７）の変調波選択処理へ移行する。
【００４４】
予め、カメラ内に用意してある複数の変調波の中から、カメラユーザが、任意に１つの変調波を選択することができる。ここでいう「変調波」は、音階で表現されるメロディであり、図１に示すスピーカ２９による再生音によって、認識できるものか、図１に示す表示装置（ＬＥＤ）３０の点滅等によって認識できるものである。
【００４５】
この変調波は、カメラ内のメモリに予め用意しておくか、カメラとのインタフェース（たとえば着脱式のメモリ）からカメラ内に読み出すようにしておく。たとえば、カメラ内のメモリに、メロディＡ、メロディＢ、メロディＣ、点滅周期Ａ、点滅周期Ｂ、点滅周期Ｃを用意し、この中から、ユーザが１つの変調波を任意に選択できるようにする。そして、変調信号データには、再生時の再生周期が記述され、この周期に合わせて、変調信号が再生される。
【００４６】
以下では、ユーザがメロディＡを選択したとして説明する。
【００４７】
（１−７）の変調波選択後に、または接続確認モード選択（１−６）において非確認モードが選択された（認識フラグ（ｆｌａｇ）が０に設定された）場合に、転送画像の選択処理へ移行（１−８）し、無線ＬＡＮによって、図１に示す操作部材（画像選択スイッチ）１４によって、転送する画像を選択する。ユーザは、カメラ内のメモリまたは着脱式メモリに蓄積されている画像を、図１に示す表示装置（ＬＣＤ）１７によって、１枚づつ、またはサムネイル画像を再生しながら、転送する画像を選択し、データ転送実行操作処理（１−９）へ移行する。
【００４８】
図１に示す操作部材（転送実行選択スイッチまたは転送実行キャンセルスイッチ）１４によって、転送実行が選択されると（１−１０）、データ転送処理（２−１）へ移行し、転送キャンセルが選択されると、転送処理は中止（終了）となる（１−１１）。
【００４９】
データ転送処理（２−１）へ移行すると、まず、送信側（カメラ）は、送信禁止期間かどうかを判断し（２−２）、送信可能期間であれば、キャリアセンスを行う（２−３）。送信側（カメラ）でキャリアを検出できた場合、送信側（カメラ）からキャリアを検出できた装置に、送信要求信号（ＲｅｑｕｅｓｔＴｏＳｅｎｄ：以下ＲＴＳ）を送出する（２−５）。送信側（カメラ）において、キャリアを検出できなければ、周囲にデータを転送できる装置が存在しないことになり、データ転送を終了する（２−１８）。
【００５０】
送信側（カメラ）からのＲＴＳ送信に対して、受信側（プリンタ）から送信許可信号（ＣｌｅａｒＴｏＳｅｎｄ  以下、「ＣＴＳ」という）が送信され、このＣＴＳを送信側（カメラ）で受信できれば（２−６）、（２−７）へ移行し、ＣＴＳを受信できなければ（２−５）へ移行し、再びＲＴＳを送信する。（２−７）では、ユーザが（１−６）において接続確認モードを選択していれば（ｆｌａｇ＝１）、（２−８）では、変調信号パケットデータを送信する。
【００５１】
この変調信号パケットデータは、（１−７）では、ユーザが選択した変調波をパケットデータへ変換したものである。この変調信号パケットデータの送出を完了した後に、送信側（カメラ）から、変調信号再生要求を受信側（プリンタ）へ送信し（２−９）、（２−１０）では、ユーザが選択した変調波を送信側（カメラ）で再生する。この変調信号再生要求信号をトリガーとし、送信側（カメラ）と受信側（プリンタ）との双方で、同一の変調波を同時点から再生する。
【００５２】
そして、変調信号パケットデータには、変調信号の再生周期を記述してあるので、送信側において、ＣＰＵ８に接続されている基準信号発生回路１５によって生成された基準クロック（時計用のクロックでもよい）によって、変調信号の再生周期を制御することができる。次に、送信側（カメラ）は、画像データパケットを受信側（プリンタ）へ送信する（２−１１）。
【００５３】
同じく（２−７）では、ユーザが、接続確認モードを選択していない場合（ｆｌａｇ＝０）、送信側（カメラ）は、画像データパケットを受信側（プリンタ）へ送信する（２−１１）。画像データを全て送信した後に、送信側（カメラ）は、転送終了処理へ移行する。（２−１２）では、ユーザが、（１−６）で、接続確認モードを選択していれば（ｆｌａｇ＝１）、（２−１３）で、変調信号停止要求を送出し、（２−１４）で、送信側（カメラ）における変調信号の再生を停止させる。
【００５４】
そして、継続して送信すべきデータがないことを示す確認信号（Ａｃｋｎｏｗｌｅｄｇｅ  以下、「ＡＣＫ」という）を送信する。同じく、（２−１２）では、ユーザが接続確認モードを選択していない場合（ｆｌａｇ＝０）、上記と同様に、ＡＣＫ信号を送信する。（２−１５）では、受信側（プリンタ）が正しくデータを受信した場合、受信側（プリンタ）からＡＣＫ信号が送信され、データ転送を終了する（２−１７）。（２−５）〜（２−１７）までの期間において、送信側（カメラ）が、受信側（プリンタ）に対して、データ送信権を確保しており、他の送信装置は、データ送信が禁止となる。
【００５５】
次に、送信側（カメラ）における変調波信号の再生について説明する。
【００５６】
変調波のデータは、予め格納されているメモリ１８から、ＣＰＵ８へ転送される。ＣＰＵ８に内蔵されているＤＡコンバータが、デジタル信号をアナログ信号へ変換し、オーディオアンプ回路２８へ出力される。
【００５７】
ここで、接続されるスピーカ２９に適合する出力形式へ変換されるとともに、操作部材１４によって設定された音量となるように、信号が増幅され、スピーカ２９から音（メロディＡ）として出力する。また、変調波信号が光の表示によって表現される場合、ＣＰＵ８が信号をデコードし、ＬＥＤ３０から光（点滅）として出力する。
【００５８】
図４は、実施例１における受信装置（プリンタ）を示すブロック図である。
【００５９】
受信装置（プリンタ）において、エンジン部５１は、プリンタへ入力されたデータを信号処理し、プリントデータへ変換するためのプリントエンジン部である。プリント出力回路５２は、プリントデータを紙等の媒体へ印刷する回路である。ＣＰＵ５３は、システムを制御する。操作部材５４は、スイッチ等で構成されている。基準信号発生回路５５は、システム用の基準信号を発生する回路である。
【００６０】
オーディオアンプ回路５６は、音声信号処理を行う。スピーカ５７は、電気信号を音声信号へ変換する。ＬＥＤ５８は、表示を行う。メモリ回路５９は、データを一時的に記憶するための回路である。データバスライン６０は、データの受け渡しを行う。
【００６１】
アンテナ回路６１は、無線通信のための回路である。ＲＦ送受信回路６２は、無線信号の送受信を行う回路である。ＲＦ／ＩＦ変換回路６３は、無線周波数から中間周波数へ変換し、中間周波数から無線周波数へ変換する回路である。ベースバンド処理回路６４は、基本周波数での信号処理を行う回路である。ＭＡＣ制御部（無線で送受信するフレームの組み立て、分解や制御フレームの生成、無線通信チャネルの獲得制御、通信速度の制御等送受信信号処理全般を行う）６５は、ＪＰＥＧ等の画像データを、パケット形式データへ変換し、またはパケット形式データから画像データへ変換する。
【００６２】
インタフェース回路６６は、ＭＡＣ制御部とデータ送受する回路である。外部インタフェース回路６７は、プリンタとデジタルカメラ等の外部装置とを接続する回路である。
【００６３】
次に、図４に示す回路ブロックの動作について説明する。
【００６４】
まず、操作部材（電源スイッチ）５４によって、装置の電源が投入される。外部インタフェース回路６７にＵＳＢケーブル等を接続し、外部装置（コンピュータ等）からのデータを入力する場合、入力した画像データ（またはテキストデータ等）を、メモリ５９へ一時的に蓄積するとともに、このデータを、プリントエンジン部５１へ出力し、プリント出力用のデータを構成する。
【００６５】
このデータを、プリント出力回路５２へ転送し、紙へ印刷することによって、信号処理が終了する。プリンタがインクジェット式である場合、プリント出力回路５２は、プリントヘッド、インクカートリッジ、紙送り機構、排紙機構、プリント用紙検出機構、エラー検出機構等を備える。プリント形式は、レーザービームプリンタ（ＬＢＰ）であってもよく、バブルジェット（登録商標）プリンタ（ＢＪ）であってもよい。
【００６６】
無線ＬＡＮを使用し、画像ファイルを他の通信装置から受信する場合、アンテナ回路６１を介して、ＲＦ送受信回路６２が、無線周波数帯の信号を受信する。そして、ＲＦ／ＩＦ変換回路６３が、ＲＦ信号をＩＦ信号に変換する。受信用ＩＦ信号のフィルタリングと位相復調とを行う。信号は、ベースバンド処理回路６４へ送られ、復号化によってパケット形式データを取り出し、ＭＡＣ制御部６５へデータが送られる。
【００６７】
ここで、ＩＥＥＥｓｔｄ８０２．１１に従って、パケット形式データからＪＰＥＧデータ等、最終的なファイル形式へ変換する。受信したＪＰＥＧ画像データは、ＭＡＣ制御部６５から、インタフェース回路６６、データバスライン６０を介して、メモリ５９へ一時的に蓄積される。
【００６８】
プリント処理は、外部インタフェース回路６７からデータを入力する場合の処理と同じである。メモリ５９へ蓄積したデータを、プリントエンジン部５１へ出力し、プリント出力用のデータを構成するするとともに、このデータを、プリント出力回路５２へ転送し、紙へ印刷することによって信号処理が終了する。
【００６９】
次に、本実施例１において、データ受信モード時の処理動作について図５を用いて説明する。
【００７０】
まず、図１に示す操作部材（モードスイッチ）１４によって受信側（プリンタ）をデータ受信モードに設定する（３−１）。（３−２）では、送信側（デジタルカメラ）からＲＴＳ信号が送信されていないかどうかをモニタし、ＲＴＳ信号を受信した場合、キャリアセンスを行い（３−３）、キャリアを検出できなければ、一定間隔をおいて、再度ＲＴＳ信号を検出する（３−２）。（３−４）でキャリア信号を検出した場合、受信側（プリンタ）からＣＴＳ信号を送信し、ＲＴＳ信号を送信した装置に、通信権を確保する。
【００７１】
キャリア信号を検出することができない場合、一定間隔をおいて、再度ＲＴＳ信号を検出する（３−２）。ＣＴＳ信号を送信した後に、通信権を確保した送信側（デジタルカメラ）からデータを受信し、接続確認モードの確認をする（３−６）。接続確認モードに設定されている場合（ｆｌａｇ＝１）、変調信号のパケットデータを受信し（３−７）、変調信号を再生する準備を整える。次に、変調信号の再生要求信号が送信側（カメラ）から送られてくるのを待ち（３−８）、再生要求信号を受信すると、この受信した信号を、トリガーとして変調信号を再生し始める（３−９）。
【００７２】
変調信号データには、再生時の再生周期が記述され、この周期に合わせて、変調信号を再生する。すなわち受信側において、図４に示すＣＰＵ５３に接続されている基準信号発生回路５５が生成した基準クロック（時計用のクロックでもよい）によって、変調信号の再生周期を制御する。したがって、この変調信号再生要求信号をトリガーとして、また、変調信号パケットデータに記述してある変調信号の再生周期によって、送信側（カメラ）と受信側（プリンタ）との双方が、同一の変調波を、同時点から同期を取りながら再生することができる。
【００７３】
次に、送信側（カメラ）からの画像データパケットを受信する（３−１０）。同じく（３−６）では、送信側（カメラ）が接続確認を要求していない場合（ｆｌａｇ＝０）、受信側（プリンタ）は、画像データパケットを送信側（カメラ）から受信する（３−１０）。全ての画像データパケットを受信した後に、接続確認（ｆｌａｇ＝１）が選択されている場合、変調信号停止要求信号を待ち、この信号を受信すると、この信号をトリガーとして、変調信号の再生を停止する（３−１３）。
【００７４】
したがって、送信側と受信側とにおいて、同時点に変調信号の再生を停止することができる。そして、送信側（カメラ）からＡＣＫ信号が送信されるのを待ち、同じく（３−１１）において、接続確認モードが選択されていない場合（ｆｌａｇ＝０）、ＡＣＫ信号の受信待ちとなる（３−１４）。ＡＣＫ信号を受信すると、受信側（プリンタ）から、全てのデータ受信完了信号となるＡＣＫ信号を送出し（３−１５）、データの受信を終了する（３−１６）。
【００７５】
次に、受信側（プリンタ）における変調信号の再生について説明する。
【００７６】
送信側から送信された変調波データは、一時的にメモリ５９へ格納され、ここからＣＰＵ５３へ転送される。この変調信号は、ＣＰＵ５３に内蔵されているＤＡコンバータが、デジタル信号をアナログ信号へ変換し、オーディオアンプ回路５６へ出力する。
【００７７】
ここにおいて、接続されるスピーカ５７に適合する出力形式へ変換され、また、操作部材５４によって設定された音量になるように、信号が増幅され、スピーカ５７から音（メロディＡ）として出力する。また、変調波信号が光の表示によって表現される場合、信号をＣＰＵ５３でデコードし、ＬＥＤ５８から光（点滅）として出力する。
【００７８】
したがって、上記実施例によれば、送信側（カメラ）と受信側（プリンタ）との間で、通信状態が確立している期間は、送信側と受信側との双方で、同一の変調波（ここではメロディＡ）を再生することができる。
【００７９】
さらに、上記実施例によれば、送信側と受信側との双方で、同一の変調波（ここではメロディＡ）を、同期を取りながら再生することができる。
【図面の簡単な説明】
【００８０】
【図１】本発明の実施例１である撮像装置１００を示すブロック図である。
【図２】実施例１において、無線通信対象装置との間で、データを送受する動作を示すフローチャートである。
【図３】実施例１において、無線通信対象装置との間で、データを送受する動作を示すフローチャートである。
【図４】実施例１における受信装置（プリンタ）を示すブロック図である。
【図５】上記実施例１において、データ受信モード時の処理動作を示すフローチャートである。
【符号の説明】
【００８１】
１００…撮像装置、
１…ＣＣＤ、
２…ＣＤＳ、
３…ＡＤ、
４…ＤＳＰ、
５…ＨＤｒ、
６…ＶＤｒ、
７…ＴＧ、
８…ＣＰＵ、
９…レンズ駆動回路、
１０…撮影レンズ、
１１…絞り駆動回路、
１２…絞り兼シャッター、
１３…レリーズスイッチ、
１４…操作部材、
１５…基準信号発生回路、
１６…ＬＣＤドライブ回路、
１７…表示装置、
１８…メモリ、
３０…ＬＥＤ。
【図１】
2005136899.tif 000003
【図２】
2005136899.tif 000004
【図３】
2005136899.tif 000005
【図４】
2005136899.tif 000006
【図５】
2005136899.tif 000007